(57)【要約】【課題】  主に複数の板を重ねてそれらの板が離れないように連結するための連結具であって、連結状態を解くことが非常に困難である連結具の提供を課題とする。【解決手段】  雄部材と雌部材とから成り、雄部材は、少なくとも一対の対向する嵌合突出部を有し、その対向する嵌合突出部は弾性的に互いに接近及び離反可能となるように形成され且つ係止突部が形成されており、雌部材は、前記嵌合突出部を嵌合するための嵌合部を有し、且つ該嵌合部の入口から前記嵌合突出部を嵌合したときに前記係止突部が係止する係止部を有し、さらに雌部材は、嵌合時に雄部材の対向する嵌合突出部が互いに弾性的に接近することを阻止する補強部を有する。【選択図】  図１１
2007315534.tif 000002
【特許請求の範囲】
【請求項１】
雄部材と雌部材とから成り、雄部材は、少なくとも一対の対向する嵌合突出部を有し、その対向する嵌合突出部は弾性的に互いに接近及び離反可能となるように形成され且つ係止突部が形成されており、雌部材は、前記嵌合突出部を嵌合するための嵌合部を有し、且つ該嵌合部の入口から前記嵌合突出部を嵌合したときに前記係止突部が係止する係止部を有し、さらに雌部材は、嵌合時に雄部材の対向する嵌合突出部が互いに弾性的に接近することを阻止する補強部を有することを特徴とする連結具。
【請求項２】
補強部が対向する嵌合突出部の接近を阻止する補強状態にあるときに、その補強部が補強状態から外れることを阻止するための阻止手段が補強部と雄部材との間に介在している請求項１記載の連結具。
【請求項３】
補強部が補強状態にあるときに、補強部は実質的にその全部が対向する嵌合突出部の間隙に収まる請求項１又は請求項２記載の連結具。
【請求項４】
嵌合突出部を嵌合部に嵌合し補強部を移動させたときに、その移動した位置で補強部が、対向する嵌合突出部の接近を阻止する請求項１乃至請求項３記載の連結具。
【請求項５】
補強部は易切断部を有する結合部を介して雌部材に結合され、補強状態とするために補強部を移動させる際に、その移動させる力によって前記易切断部が切断され補強部が移動する請求項４記載の連結具。
【請求項６】
一対の対向する嵌合突出部から長さ方向に間隔を置いて他の一対の対向する嵌合突出部が設けられ、それぞれ一対の嵌合突出部の長さ方向の長さは等しく、且つ一方の一対の嵌合突出部の長さは他方の一対の嵌合突出部の長さよりも長い請求項１乃至請求項５記載の連結具。
【発明の詳細な説明】
【技術分野】
【０００１】
本発明は、主に薄い複数の板を重ね合わせて連結するための連結具に関する。
【背景技術】
【０００２】
連結するための連結具であって雄部材と雌部材とから成り、雌部材の筒状胴部を軸線方向に沿ったスリットを介して複数の拡開脚部に分割して、雄部材の軸部を雌部材の胴部内に挿入することにより、胴部の各拡開脚部を外方に拡開して、雄部材の鍔部と各拡開脚部間で二以上の板状部材を挟持する連結具は存在する（例えば、特許文献１参照。）。
【特許文献１】特開２００５−１５５７３８号公報
【発明の開示】
【発明が解決しようとする課題】
【０００３】
本発明は、主に複数の板を重ねてそれらの板が離れないように連結するための連結具であって、連結状態を解くことが非常に困難である連結具の提供を課題とする。
【０００４】
例えば本発明は包丁の陳列用包装箱に使用される。その理由は次の通りである。近年、刃物を使った凶悪犯罪が増加し社会問題となっている。包丁などの刃物はその目的通り使用すれば問題ないが、包丁自体は十分な殺傷能力を持っている。包丁の陳列用包装箱はその開口を閉じるフラップの折り曲げ片を包装箱の中に挿入して開口を閉じ、挿入された折り曲げ片を簡単な係止構造で係止した構造となっている。したがって、量販店で包装箱入り包丁を購入した粗暴な人間が、何らかのきっかけで包装箱からすぐに包丁を取り出して凶器に使用することが十分に考えられる。また、凶悪犯が包丁を持たずに店に入って、店内に陳列されている包丁の包装箱から包丁を簡単に取り出して凶器に使用する虞もある。この場合、包装箱を開くことが困難であれば凶悪事件を未然に防止することができる。このような場合に、フラップの折り曲げ片を包装箱の壁板に重ね合わせて連結具で連結し、その連結状態が容易に解けなければ安全である。
【０００５】
前記特許文献１の連結具は、胴部の各拡開脚部を外方に拡開して、雄部材の鍔部と各拡開脚部間で二以上の板状部材を確実に挟持するものである。この連結具の雄部材と雌部材の嵌合は、それぞれの頭部が同じ側にあって重なる構造である。したがって、頭部と反対側の端部が両部材ともに同じ側に突き出る構造である。これに対して本発明が意図する構造は、雄部材と雌部材を嵌合したときに２つの頭部が同じ側になく、嵌合状態の両端に存在する構造である。特許文献１の連結具は、パネルの表面に２つの頭部が露出するように取り付け、連結具の端部はパネルの中に覗くようにして使用するものである。通常、例えば自動車の車体パネルの中に手を入れることはできない。したがって、パネルの中に覗いている連結具の端部を意図的に破壊される虞がなく確実に板を連結することができる。
【０００６】
ところが、例えば前述したような包丁の陳列用包装箱の開口を連結具で連結して閉じたときに、連結具の両端が露出するのである。したがって、引用文献１のように雌雄両部材の頭部が同じ側にあって、雌雄両部材の端部が他の側にあるときは拡開脚片を広げるなどして、嵌合している雌雄両部材の端部を容易に破壊することができるのである。このような連結具で包丁の陳列用包装箱の開口を閉じると、容易に開口を開いて包丁を取り出すことできるのである。これでは、安全性に優れた陳列用包装箱を提供することができない。そこで、本発明はこのような包丁の陳列用包装箱の場合に、あるいはこれ以外の場合においても、複数の板を重ねて連結し、その連結状態を解くことが非常に困難である連結具を提供することを目的とする。
【０００７】
さらに、特許文献１の連結具で陳列用包装箱の開口を閉じた場合は雌雄両部材の端部が突き出る。このために、陳列用包装箱を手で持ったときに指などがその突出した端部に当たって痛みを感じる等の不快感を生じさせる虞がある。そこで、本発明は雌雄両部材を嵌合して複数の板を連結したときに、連結部の端部が突き出ることがなく、手などが連結具に触れたときに痛みなどの不快感を生じさせることのない連結具を提供することを目的とする。
【課題を解決するための手段】
【０００８】
本発明の請求項１は、雄部材と雌部材とから成り、雄部材は、少なくとも一対の対向する嵌合突出部を有し、その対向する嵌合突出部は弾性的に互いに接近及び離反可能となるように形成され且つ係止突部が形成されており、雌部材は、前記嵌合突出部を嵌合するための嵌合部を有し、且つ該嵌合部の入口から前記嵌合突出部を嵌合したときに前記係止突部が係止する係止部を有し、さらに雌部材は、嵌合時に雄部材の対向する嵌合突出部が互いに弾性的に接近することを阻止する補強部を有する構成である。
【０００９】
請求項２は、補強部が対向する嵌合突出部の接近を阻止する補強状態にあるときに、その補強部が補強状態から外れることを阻止するための阻止手段が補強部と雄部材との間に介在している要素が請求項１に付加された構成である。
【００１０】
請求項３は、補強部が補強状態にあるときに、補強部は実質的にその全部が対向する嵌合突出部の間隙に収まる要素が請求項１又は請求項２に付加された構成である。
【００１１】
請求項４は、嵌合突出部を嵌合部に嵌合し補強部を移動させたときに、その移動した位置で補強部が、対向する嵌合突出部の接近を阻止する要素が請求項１乃至請求項３に付加された構成である。
【００１２】
請求項５は、補強部が易切断部を有する結合部を介して雌部材に結合され、補強状態とするために補強部を移動させる際に、その移動させる力によって前記易切断部が切断され補強部が移動する要素が請求項４に付加された構成である。
【００１３】
請求項６は、一対の対向する嵌合突出部から長さ方向に間隔を置いて他の一対の対向する嵌合突出部が設けられ、それぞれ一対の嵌合突出部の長さ方向の長さは等しく、且つ一方の一対の嵌合突出部の長さは他方の一対の嵌合突出部の長さよりも長い要素が請求項１乃至請求項５に付加された構成である。
【発明の効果】
【００１４】
請求項１は、雄部材が少なくとも一対の対向する嵌合突出部を有し、その対向する嵌合突出部は弾性的に互いに接近及び離反可能となるように形成され且つ係止突部が形成されており、雌部材が前記嵌合突出部を嵌合するための嵌合部を有し、且つ該嵌合部の入口から前記嵌合突出部を嵌合したときに前記係止突部が係止する係止部を有し、さらに雌部材は、嵌合時に雄部材の対向する嵌合突出部が互いに弾性的に接近することを阻止する補強部を有する構成である。雌雄両部材の嵌合を外すためには、雄部材の対向する嵌合突出部を接近させれば係止状態が解除して嵌合が外れる。請求項１は、この両嵌合突出部の接近を阻止する補強部を有しているので嵌合突出部を接近させることができず、雌雄両部材の嵌合を外すことができない。したがって、複数の板を重ねて連結したときにその連結状態を解くことを非常に困難とすることができる。
【００１５】
前述したように補強部材によって対向する嵌合突出部の接近を阻止し、複数の板を重ねて連結したときにその連結状態を解くことを非常に困難とすることができる。補強部は例えば嵌合突出部などから圧力がかかっているので容易に取り除くことはできないから安定度は高い。しかし、仮にドライバーなどの道具を使って補強部を取り除くことができれば、連結状態を解くことができる。これでは補強部の効果が万全とは言えない。請求項２は、補強部が対向する嵌合突出部の接近を阻止する補強状態にあるときに、その補強部が補強状態から外れることを阻止するための阻止手段が補強部と雄部材との間に介在している。したがって、特に補強部が補強状態から外れることを目的とした阻止手段を設けることによって、補強部を補強状態から外すことが困難となり、複数の板を重ねて連結したときにその連結状態を解くことを非常に困難とすることができる。
【００１６】
請求項３は、補強部が補強状態にあるときに、補強部は実質的にその全部が対向する嵌合突出部の間隙に収まる構成である。本発明は、雄部材の嵌合突出部が雌部材の嵌合部から突出しない構成とすることができる。そのような構成としたときに、補強部が実質的に嵌合突出部の間隙に収まる構成とすれば、雌雄両部材を嵌合したときに嵌合突出部が連結具から突出することがない。したがって、手で持ったときに連結具が指などに当たっても痛みを感じることがなく不快感を生じさせない。
【００１７】
請求項４は、嵌合突出部を嵌合部に嵌合し補強部を移動させたときに、その移動した位置で補強部が、対向する嵌合突出部の接近を阻止する構成である。すなわち、嵌合突出部を嵌合部に嵌合した時点では補強部が補強作用をしておらず、補強状態にない。仮に嵌合突出部を嵌合させるときに同時に補強部が補強状態となる構成にすると、雄部材の係止突部が雌部材の係止部に係止する際に、補強部の作用によって円滑に係止状態とすることが阻害される。したがって、係止状態とするために大きな力を必要とする。請求項４は、嵌合突出部を嵌合部に嵌合した時点、すなわち、係止突部が係止部に係止する時点では補強部材が作用しておらず、嵌合が完了したときに補強部を移動させて補強作用を発揮させる構成である。したがって、雄部材の係止突部が雌部材の係止部に円滑に係止し、雌雄両部材の嵌合を円滑に行うことができる。
【００１８】
請求項５は、補強部が易切断部を有する結合部を介して雌部材に結合され、補強状態とするために補強部を移動させる際に、その移動させる力によって前記易切断部が切断され補強部が移動する構成である。したがって、補強状態にある補強部は雌部材との結合部である易切断部が切断されて独立した部材となるから、補強状態にあるときに元の状態に復帰させる力が加わらない。これにより、補強部が補強状態から外れることを確実に防止することができる。また、結合部によって補強部が位置決めされているので、位置決めされたその補強部を押圧するだけで適切な補強状態を得ることができる。
【００１９】
請求項６は、一対の対向する嵌合突出部から長さ方向に間隔を置いて他の一対の対向する嵌合突出部が設けられ、それぞれ一対の嵌合突出部の長さ方向の長さは等しく、且つ一方の一対の嵌合突出部の長さは他方の一対の嵌合突出部の長さよりも長くなるように形成されている。これは連結具の取り付け方向を単一に確定するための構成である。すなわち、この構成は二対の対抗する嵌合突出部を有しているので、連結されるべき複数の板には嵌合突出部の挿入孔が２つ設けられている。挿入孔の長さを、嵌合突出部の長い方の長さに合わせて同じ長さにすると、その挿入孔には長い方の嵌合突出部も挿入可能で、短い方の嵌合突出部も挿入可能である。したがって、このような構成では連結具の取り付け方向を単一に確定できない。これに対して、一方の挿入孔の長さは嵌合突出部の長い方の長さに合わせ、他方の挿入孔の長さは嵌合突出部の短い方の長さに合わせれば、連結具は逆方向に取り付けることができないから連結具の方向を単一に確定することができる。これは、例えば連結具の表面に文字を記入したときに、文字を逆さにして連結具を取り付けることを防止することができる。
【発明を実施するための最良の形態】
【００２０】
次に、発明を実施するための最良の形態について説明する。雌部材１は熱可塑性樹脂で一体に形成されている。図１に示すように、雌部材１は、細長い矩形の板状に形成されている。雌部材１の長さは約５８ｍｍであり、幅は約９ｍｍであり、厚みは約３ｍｍである。雌部材1の両端寄りに長さ方向に延びる矩形の貫通孔２，３が形成されている。貫通孔２，３のサイズは同一で、長さが約１５．４ｍｍで、幅が約５．８ｍｍである。図５に示すように貫通孔２，３の上側には長さ方向に延びる補強部４，５が設けられている。補強部４の両端と貫通孔２の両端との間に薄肉部６，６が介在して補強部４は雌部材１に結合され，補強部５の両端と貫通孔３の両端との間に薄肉部７，７が介在して補強部５は雌部材１に結合している。薄肉部６，６と薄肉部７，７の強度は、補強部４，５を貫通孔２，３の中に押し入れようと力を加えたときに容易に切断するだけの弱い強度である。図５に示すように、薄肉部６，６は貫通孔２の内面の上端と補強部４の下端の間に延びている。この構成により補強部４は貫通孔２の上側に位置する。同様に、薄肉部７，７は貫通孔３の内面の上端と補強部５の下端の間に延びている。この構成により補強部５は貫通孔３の上側に位置する。
【００２１】
図４に示すように、貫通孔２の内面に係止部８，８が設けられている。図５に示すように他方の貫通孔３の内面にも同様の係止部１５が設けられている。また、図４に示すように補強部４の先端はテーパーしており、張り出し部１４，１４が設けられている。補強部４，５のサイズは同一で、長さが約１３．８ｍｍであり、最大幅すなわち図４に示す上下方向の最大距離は約２．５ｍｍであり、張り出し部１４よりも左側の部分の上下幅は約２ｍｍである。厚みすなわち図４における水平方向の長さは約２．８ｍｍである。
【００２２】
雄部材９は雌部材１と同じ熱可塑性樹脂で一体に形成されている。図２に示すように、雄部材９も雌部材１と同様に細長い矩形の板状に形成されている。雄部材９の一方の端部寄りには、対向する嵌合突出部１０，１０が一体に設けられている。この嵌合突出部１０，１０は他方の嵌合突出部１２，１２よりも長い。雄部材９の長さと幅は雌部材１と同じであり、嵌合突出部１０，１０，１２，１２を除いた板状の部分の厚みは約２ｍｍである。この嵌合突出部１０，１０の高さは約３．６ｍｍであり、長さは約１５ｍｍである。嵌合突出部１０，１０の上端には外向きの係止突部１１，１１と内向きの膨出部４１，４１が設けられている。雄部材９の他方の端部寄りには、対向する他方の嵌合突出部１２，１２が一体に設けられている。この嵌合突出部１２，１２の高さは約３．６ｍｍであって一方の嵌合突出部１０，１０と等しいが、長さは約１０ｍｍであって一方の嵌合突出部１０，１０の長さよりも短くなるように形成されている。嵌合突出部１２，１２の上端にも外向きの係止突部１３，１３と内向きの膨出部４２，４２が設けられている。図７に示すように雄部材１の表面には「底面をハサミで切り取ってください」の文字が記入されている。これは、本発明の連結具が分解不可能に構成されているので、本発明が陳列用包装箱の開口を閉鎖したときは、中身の商品を取り出すときは連結具を分解せずハサミで開口を閉鎖しているフラップなどを切断すべきことを示唆している。
【００２３】
次に本発明の使用方法を、図１４に示す陳列用の包装箱１６を例にとって説明する。この包装箱１６は包丁を包装して量販店の売り場の陳列用フックに吊り下げて陳列される。包装箱１６を吊り下げるときは、陳列用フックを吊り下げ孔１７に通して吊り下げる。吊り下げられた包装箱１６の上側の開口と下側の開口を閉鎖するために本発明の連結具が使用される。図面では省略してあるが、この包装箱１６の中に台紙にセットされた包丁が包装される。包丁が外から見えるように包装箱１６は透明な合成樹脂の薄板で形成されている。
【００２４】
図９及び図１０は包装箱１６の上側の開口１８の構造を示したものである。開口１８の周囲には、正面フラップ１９と、背面フラップ２０と、一対のサイドフラップ２１，２１が設けられている。正面フラップ１９は正面壁板３５と一体に形成されていて、正面壁板３５から上方に延びている。正面フラップ１９に折り曲げ線２２を設けることにより折り曲げ片２３が形成されている。この折り曲げ片２３にはこの図において左寄りに矩形の長孔２４が設けられ、右寄りにその長孔２４よりも短い短孔２５が設けられている。さらに、折り曲げ線２２の中央にスリット２６が形成されている。
【００２５】
背面フラップ２０は背面壁板３６と一体に形成されていて、背面壁板３６から上方に延びている。背面フラップ２０に折り曲げ線２７を設けることにより折り曲げ片２８が設けられている。背面フラップ２０には左寄りに長孔２９と右寄りに短孔３０が設けられている。折り曲げ片２８にも左寄りに長孔３１と右寄りに短孔３２が設けられている。折り曲げ片２８の長辺３３の中央に差込片３４が設けられている。
【００２６】
開口１８を閉じるときは、まずサイドフラップ２１，２１を内側に折り曲げる。次に、正面フラップ１９を折り曲げ線３７で開口１８側に折り曲げ、折り曲げ片２３を折り曲げ線２２で反対側に折り曲げ、正面フラップ１９で開口１８を閉じる。このとき、折り曲げ片２３は背面フラップ２０に全面的に接触している。次いで、折り曲げ片２８を折り曲げ線２７で折り曲げ、背面フラップ２０と折り曲げ片２８とで折り曲げ片２３を挟み込む。そのときに、折り曲げ片２８の差込片３４をスリット２６に差し込むことにより、折り曲げ片２８を仮止めすることができる。図１０はその折り曲げ片２８を仮止めした状態を示す。このとき、長孔２４，２９，３１はすべて整合して挿通長孔３８を形成し、短孔２５，３０，３２もすべて整合して挿通短孔３９を形成する。このように挿通長孔３８及び挿通短孔３９は３枚の板材を貫通している。３枚の板材を重ねたことによりこの部分の強度が増し、連結具で開口を閉じて重量の大きな包丁を吊り下げても挿通長孔３８や挿通短孔３９が破損することがない。また、図１０から明らかなように、背面フラップ２０は折り曲げ線２７で折り曲げられていてその部分では背面フラップ２０と折り曲げ片２８は一体につながっている。したがって、連結具を取り付けたときに、ナイフで折り曲げ線２８を切断しない限りその折曲げ部分から背面フラップ２０と折り曲げ片２８を引き離すことができず、閉鎖状態を解除することは非常に困難である。
【００２７】
折り曲げ片２８を仮止めした後に、この部分に連結具である雌雄両部材１，９を取り付ける。まず、挿通長孔３８と挿通短孔３９の正面側から雄部材１の嵌合突出部１０，１０，１２，１２を挿入する。雄部材１の一方の嵌合突出部１０，１０は他方の嵌合突出部１２，１２よりも長く形成されており、挿通長孔３８の長さ一杯に挿入し得る長さである。挿通短孔３９の長さは一方の嵌合突出部１０，１０の長さよりも短いから、嵌合突出部１０，１０は挿通短孔３９に挿入することができない。したがって、一方の長い嵌合突出部１０，１０は挿通長孔３８に挿入し、他方の短い嵌合突出部１２，１２は挿通短孔３９に挿入する。これにより、取り付けられるべき雄部材１の両端のいずれが左側でいずれが右側であるか限定されるので、天地についても一つに限定され上下逆さになることがない。その限定された取り付け状態で雄部材１の表面に「底面をハサミで切り取ってください」の文字が表われるように文字を表示すれば、文字が逆さになるように雄部材１が取り付けられることはない。
【００２８】
次に、背面フラップ２０の背面側から雌部材９を取り付ける。挿通長孔３８と挿通短孔３９から嵌合突出部１０，１０と嵌合突出部１２，１２が背面側に突出しているので、それらの嵌合突出部を雌部材１の貫通孔２，３に挿入する。その際、嵌合突出部は貫通孔２，３の補強部４，５の設けられていない側の開口４０から挿入する。貫通孔２，３の長さは同一でいずれも長い方の嵌合突出部１０，１０の長さに合わせてあるので、貫通孔２，３に嵌合突出部１０，１０と嵌合突出部１２，１２のいずれを挿入しても差し支えない。貫通孔２に嵌合突出部１０，１０を挿入したときに、嵌合突出部１０，１０の係止突部１１，１１が貫通孔２の係止部８に係止し、雄部材１と雌部材９が結合される。また、それと同時に貫通孔３に嵌合突出部１２，１２が挿入され、嵌合突出部１２，１２の係止突部１３，１３が貫通孔３の係止部１５に係止し、雄部材１と雌部材９が結合される。
【００２９】
このように嵌合突出部１０，１０を貫通孔２に挿入した後に、図１１に示すように補強部４を両嵌合突出部１０，１０の間に押し込む。補強部４は実質的にその全体が嵌合突出部１０，１０の間に収まるので、補強部４が雌部材９から突き出ない。実質的というのは、物理的にわずかにはみ出すことがあるとしても使用上そのはみ出すことによる影響を受けないということである。補強部４を押し込むと、嵌合突出部１０，１０の張り出し部１４，１４が膨出部４１，４１を乗り越えて押し込まれるので、この張り出し部１４，１４と膨出部４１，４１が協働して押し込んだ後の補強部４が抜けることを阻止する。さらに、図１１において補強部４の張り出し部１４，１４は係止突部８，８よりも左側にある。したがって、補強部４が抜ける方向、すなわち右側に移動しようとしても、張り出し部１４，１４と係止部８，８とで嵌合突出部１０，１０を挟圧するので、非常に大きな力を加えなければ補強部４は移動しない。したがって、雄部材１と雌部材９が結合されたときに、補強部４が雌部材９から浮き上がることを効果的に防止できる。
【００３０】
図１２及び図１３は包装箱１６の下側の開口４３の構造を示したものである。開口４３の周囲には、正面フラップ４４と、背面フラップ４５と、一対のサイドフラップ４６，４６が設けられている。正面フラップ４４は正面壁板３５と一体に形成されていて、正面壁板３５から下方に延びている。正面フラップ４４に折り曲げ線４７を設けることにより折り曲げ片４８が形成されている。この折り曲げ片４８にはこの図において左寄りに矩形の長孔４９が設けられ、右寄りにその長孔４９よりも短い短孔５０が設けられている。
【００３１】
背面フラップ４５は背面壁板３６と一体に形成されていて、背面壁板３６から下方延長方向にまっすぐ延びている。したがって、背面フラップ４５に折り曲げ線は存在しない。背面フラップ４５には左寄りに長孔５１と右寄りに短孔５２が設けられている。
【００３２】
開口４３を閉じるときは、まずサイドフラップ４６，４６を内側に折り曲げる。次に、正面フラップ４４を折り曲げ線４７で開口４３側に折り曲げ、折り曲げ片４８を折り曲げ線４７で反対側に折り曲げ、正面フラップ４４で開口４３を閉じる。このとき、折り曲げ片４８は背面フラップ４５に全面的に接触している。このとき、長孔４９，５１は整合して挿通長孔５３を形成し、短孔５０，５２も整合して挿通短孔５４を形成する。したがって、この場合、連結具で連結するのは折り曲げ片４８と背面フラップ４５の２枚の板材である。
【００３３】
挿通長孔５３と挿通短孔５４に雄部材１の嵌合突出部１０，１０，１２，１２を挿入して雄部材１と雌部材９を結合する方法は、前述した上側の開口１８を閉じる方法と同じである。連結具を取り付けると図１４に示すように雄部材１に記載した「底面をハサミで切り取ってください」の文字が、包装箱の１６の上側と下側に表われる。したがって、包装箱１６から包丁を取り出そうとするときは、この文字に従って下側に連結されている折り曲げ片４８と背面フラップ４５を折り曲げ線４７に沿ってハサミで切断する。この部分で重なっている板材は２枚であるが３枚にしてもよい。
【図面の簡単な説明】
【００３４】
【図１】雌部材の斜視図
【図２】雄部材の斜視図
【図３】雌部材の平面図
【図４】図３におけるＡ−Ａ拡大断面図
【図５】図３におけるＢ−Ｂ断面図
【図６】雄部材の平面図
【図７】雄部材の底面図
【図８】雄部材の側面図
【図９】包装箱の上側の開口部分の斜視図
【図１０】包装箱の上側の開口を仮止めした状態の斜視図
【図１１】板材を連結具で連結した状態を示す断面図
【図１２】包装箱の下側の開口部分の斜視図
【図１３】包装箱の下側の開口を連結具で閉じる前の斜視図
【図１４】連結具を取り付けた包装箱の正面図
【符号の説明】
【００３５】
１  雌部材
２  貫通孔
３  貫通孔
４  補強部
５  補強部
６  薄肉部
７  薄肉部
８  係止部
９  雄部材
１０  嵌合突出部
１１  係止突部
１２  嵌合突出部
１３  係止突部
１４  張り出し部
１５  係止部
１６  包装箱
１７  吊り下げ孔
１８  開口
１９  正面フラップ
２０  背面フラップ
２１  サイドフラップ
２２  折り曲げ線
２３  折り曲げ片
２４  長孔
２５  短孔
２６  スリット
２７  折り曲げ線
２８  折り曲げ片
２９  長孔
３０  短孔
３１  長孔
３２  短孔
３３  長辺
３４  差込片
３５  正面壁板
３６  背面壁板
３７  折り曲げ線
３８  挿通長孔
３９  挿通短孔
４０  開口
４１  膨出部
４２  膨出部
４３  開口
４４  正面フラップ
４５  背面フラップ
４６  サイドラップ
４７  折り曲げ線
４８  折り曲げ片
４９  長孔
５０  短孔
５１  長孔
５２  短孔
５３  挿通長孔
５４  挿通短孔
【図１】
2007315534.tif 000003
【図２】
2007315534.tif 000004
【図３】
2007315534.tif 000005
【図４】
2007315534.tif 000006
【図５】
2007315534.tif 000007
【図６】
2007315534.tif 000008
【図７】
2007315534.tif 000009
【図８】
2007315534.tif 000010
【図９】
2007315534.tif 000011
【図１０】
2007315534.tif 000012
【図１１】
2007315534.tif 000013
【図１２】
2007315534.tif 000014
【図１３】
2007315534.tif 000015
【図１４】
2007315534.tif 000016